(57)【要約】【課題】指定された複数の地点において最も発電量が多くなる発電手法の組み合わせを迅速に試算する。【解決手段】発電量試算装置２０は、自然エネルギーを用いて発電する各発電設備について、自然エネルギーの単位当たりの発電量を格納する設備情報格納部２３と、自然エネルギーの計測値を格納する計測値格納部２２と、発電設備を設置する複数の設置場所、および、設置候補となる発電設備を示す候補設備の入力を受け付ける受付部２８と、各設置場所にいずれかの候補設備を割り当て、割り当てられた候補設備の発電量を算出し、算出した発電量を全ての設置場所について合計した総発電量を試算する処理を、設置場所および候補設備の複数の組み合わせについて実行する発電量試算部２５と、総発電量が所定条件を満たす設置場所および候補設備の組み合わせの情報を、その総発電量の情報と共に出力する発出力部２７とを備える。【選択図】図２
2014130501.tif 000002
【特許請求の範囲】
【請求項１】
自然エネルギー源を用いた発電設備の発電量を試算する発電量試算装置であって、
自然エネルギーを用いて発電する複数の発電設備のそれぞれについて、自然エネルギーの単位当たりの発電量の情報を格納する設備情報格納部と、
自然エネルギーの計測値を格納する計測値格納部と、
発電設備を設置する複数の設置場所の情報、および、設置候補となる発電設備を示す候補設備の情報の入力を受け付ける受付部と、
それぞれの前記設置場所にいずれかの前記候補設備を割り当て、前記計測値格納部および前記計測値格納部を参照し、それぞれの前記設置場所における前記自然エネルギーの計測値に基づいて当該設置場所に割り当てられた候補設備の発電量を算出し、算出した発電量を全ての前記設置場所について合計した総発電量を試算する処理を、前記設置場所および前記候補設備の複数の組み合わせについて実行する発電量試算部と、
前記発電量試算部が前記設置場所および前記候補設備の組み合わせ毎に試算した総発電量の中で、総発電量が所定条件を満たす前記設置場所および前記候補設備の組み合わせの情報を、その総発電量の情報と共に出力する出力部と
を備えることを特徴とする発電量試算装置。
【請求項２】
請求項１に記載の発電量試算装置であって、
前記所定条件は、前記発電量試算部が前記設置場所および前記候補設備の組み合わせ毎に試算した総発電量の中で、総発電量が最も大きいことであることを特徴とする発電量試算装置。
【請求項３】
請求項１または２に記載の発電量試算装置であって、
前記出力部は、
前記発電量試算部が前記設置場所および前記候補設備の組み合わせ毎に試算した総発電量の中で、総発電量が大きい順に前記所定条件を満たす前記設置場所および前記候補設備の組み合わせの情報を、その総発電量の情報と共に表示することを特徴とする発電量試算装置。
【請求項４】
請求項１から３のいずれか一項に記載の発電量試算装置であって、
前記受付部は、
発電設備により生成された電力を消費する施設の位置を示す情報の入力をさらに受け付け、
前記発電量試算部は、
それぞれの前記設置場所における前記自然エネルギーの計測値に基づいて当該設置場所に割り当てられた候補設備の発電量を算出し、算出した発電量より、当該設置場所から前記施設の位置までの距離に応じた伝送損失を除いた値を全ての前記設置場所について合計して前記総発電量を算出することを特徴とする発電量試算装置。
【請求項５】
請求項１から４のいずれか一項に記載の発電量試算装置であって、
前記発電量試算部が試算した前記設置場所および前記候補設備の複数の組み合わせ毎の総発電量に基づいて、それぞれの組み合わせについての発電性能を示す値を算出する発電性能算出部をさらに備え、
前記出力部は、
総発電量が前記所定条件を満たす前記設置場所および前記候補設備の組み合わせについて、前記発電性能を示す値をさらに出力することを特徴とする発電量試算装置。
【請求項６】
請求項５に記載の発電量試算装置であって、
前記設備情報格納部には、
それぞれの発電設備について、設置コストを示す情報がさらに格納されており、
前記発電性能算出部は、
前記設置場所および前記候補設備の組み合わせ毎に、当該組み合わせについて試算された単位時間当たりの総発電量、単位時間当たりの単位電力量の価格、および、発電設備毎の設置コストに基づいて、それぞれの発電設備のコスト回収期間を前記発電性能を示す値として算出することを特徴とする発電量試算装置。
【請求項７】
請求項５に記載の発電量試算装置であって、
前記発電性能算出部は、
前記設置場所および前記候補設備の組み合わせ毎に試算された総発電量の中で、総発電量が前記所定条件を満たす前記設置場所および前記候補設備の組み合わせについて、単位時間内の総発電量の変動幅を示す変動情報を、発電性能を示す情報として算出することを特徴とする発電量試算装置。
【請求項８】
請求項１から７のいずれか一項に記載の発電量試算装置であって、
前記設備情報格納部は、
それぞれの発電設備について、当該発電設備を設置可能な領域を示す領域情報をさらに格納し、
前記発電量試算部は、
前記設備情報格納部を参照して、前記設置場所を含む領域情報に対応付けられている発電設備を、当該設置場所に設置可能な候補設備として割り当てて当該候補設備の発電量を算出することを特徴とする発電量試算装置。
【請求項９】
自然エネルギー源を用いた発電設備の発電量を試算する発電量試算装置における発電量試算方法であって、
前記発電量試算装置が、
自然エネルギーの計測値を収集してメモリに格納する計測値収集ステップと、
発電設備を設置する複数の設置場所の情報、および、設置候補となる発電設備を示す候補設備の情報の入力を受け付ける受付ステップと、
それぞれの前記設置場所にいずれかの前記候補設備を割り当て、自然エネルギーを用いて発電する複数の発電設備のそれぞれについて、自然エネルギーの単位当たりの発電量の情報を格納する設備情報格納部および計測値が格納されたメモリを参照し、それぞれの前記設置場所における前記自然エネルギーの計測値に基づいて当該設置場所に割り当てられた候補設備の発電量を算出し、算出した発電量を全ての前記設置場所について合計した総発電量を試算する処理を、前記設置場所および前記候補設備の複数の組み合わせについて実行する発電量試算ステップと、
前記発電量試算ステップにおいて前記設置場所および前記候補設備の組み合わせ毎に試算した総発電量の中で、総発電量が所定条件を満たす前記設置情報および前記候補設備の組み合わせの情報を、その総発電量の情報と共に出力する出力ステップと
を実行することを特徴とする発電量試算方法。
【請求項１０】
コンピュータを、自然エネルギー源を用いた発電設備の発電量を試算する発電量試算装置として機能させるプログラムであって、
前記コンピュータに、
自然エネルギーの計測値を収集してメモリに格納する計測値収集機能と、
発電設備を設置する複数の設置場所の情報、および、設置候補となる発電設備を示す候補設備の情報の入力を受け付ける受付機能と、
それぞれの前記設置場所にいずれかの前記候補設備を割り当て、自然エネルギーを用いて発電する複数の発電設備のそれぞれについて、メモリに格納された自然エネルギーの単位当たりの発電量の情報および自然エネルギーの計測値を参照し、それぞれの前記設置場所における前記自然エネルギーの計測値に基づいて当該設置場所に割り当てられた候補設備の発電量を算出し、算出した発電量を全ての前記設置場所について合計した総発電量を試算する処理を、前記設置場所および前記候補設備の複数の組み合わせについて実行する発電量試算機能と、
前記発電量試算機能が前記設置場所および前記候補設備の組み合わせ毎に試算した総発電量の中で、総発電量が所定条件を満たす前記設置場所および前記候補設備の組み合わせの情報を、その総発電量の情報と共に出力する出力機能と
を実現させることを特徴とするプログラム。
【発明の詳細な説明】
【技術分野】
【０００１】
本発明は、発電量試算装置、発電量試算方法、およびプログラムに関する。
【背景技術】
【０００２】
下記の特許文献１には、洋上にコンテナ型データセンタを載せた船を浮かべて波力等で発電することで直流のＩＴ機器を稼動させ、更に海水を淡水化してコンテナ型データセンタ内の機器を冷却する技術が開示されている。
【先行技術文献】
【特許文献】
【０００３】
【特許文献１】米国特許第７５２５２０７号明細書
【発明の概要】
【発明が解決しようとする課題】
【０００４】
ところで、例えば海から遠く離れた場所では、上記特許文献１のような波力を用いた発電を行うことができず、山の北側の斜面では太陽光を用いた発電を行うことができないというように、場所によって得られる有効な発電手法は異なる。そのため、自然エネルギーを用いた発電設備の建設には、対象とする自然エネルギーの有無や発生量等を事前に調査し、目的を達成するために十分は発電量が得られるか否かを評価しなければならない。
【０００５】
また、近年では、様々な自然エネルギーを用いた電力の生成技術が開発されており、その発電効率も日々改良されている。そのような中、発電設備を設置できそうな場所を複数指定して、どのような自然エネルギーの発電設備をどの場所に設置すれば、最も多くの電力を生成することができるかを迅速に試算することができれば、コンテナ型データセンタ等の電力を消費する施設の建設において、自然エネルギーの利用促進が期待できる。
【０００６】
本発明は上記事情を鑑みてなされたものであり、本発明の目的は、指定された複数の地点において最も発電量が多くなる発電手法の組み合わせを迅速に試算できるようにすることにある。
【課題を解決するための手段】
【０００７】
本願は、上記課題を解決するための手段を複数含んでいるが、その第一の態様を挙げるならば、自然エネルギー源を用いた発電設備の発電量を試算する発電量試算装置であって、
自然エネルギーを用いて発電する複数の発電設備のそれぞれについて、自然エネルギーの単位当たりの発電量の情報を格納する設備情報格納部と、
自然エネルギーの計測値を格納する計測値格納部と、
発電設備を設置する複数の設置場所の情報、および、設置候補となる発電設備を示す候補設備の情報の入力を受け付ける受付部と、
それぞれの前記設置場所にいずれかの前記候補設備を割り当て、前記計測値格納部および前記計測値格納部を参照し、それぞれの前記設置場所における前記自然エネルギーの計測値に基づいて当該設置場所に割り当てられた候補設備の発電量を算出し、算出した発電量を全ての前記設置場所について合計した総発電量を試算する処理を、前記設置場所および前記候補設備の複数の組み合わせについて実行する発電量試算部と、
前記発電量試算部が前記設置場所および前記候補設備の組み合わせ毎に試算した総発電量の中で、総発電量が所定条件を満たす前記設置場所および前記候補設備の組み合わせの情報を、その総発電量の情報と共に出力する出力部と
を備える。
【０００８】
上記発電量試算装置において、
前記所定条件は、前記発電量試算部が前記設置場所および前記候補設備の組み合わせ毎に試算した総発電量の中で、総発電量が最も大きいことであってもよい。
【０００９】
また、上記発電量試算装置の出力部は、
前記発電量試算部が前記設置場所および前記候補設備の組み合わせ毎に試算した総発電量の中で、総発電量が大きい順に前記所定条件を満たす前記設置場所および前記候補設備の組み合わせの情報を、その総発電量の情報と共に表示するようにしてもよい。
【００１０】
また、上記発電量試算装置の受付部は、
発電設備により生成された電力を消費する施設の位置を示す情報の入力をさらに受け付け、
前記発電量試算部は、
それぞれの前記設置場所における前記自然エネルギーの計測値に基づいて当該設置場所に割り当てられた候補設備の発電量を算出し、算出した発電量より、当該設置場所から前記施設の位置までの距離に応じた伝送損失を除いた値を全ての前記設置場所について合計して前記総発電量を算出するようにしてもよい。
【００１１】
また、上記発電量試算装置は、
前記発電量試算部が試算した前記設置場所および前記候補設備の複数の組み合わせ毎の総発電量に基づいて、それぞれの組み合わせについての発電性能を示す値を算出する発電性能算出部をさらに備えてもよく、
前記出力部は、
総発電量が前記所定条件を満たす前記設置場所および前記候補設備の組み合わせについて、前記発電性能を示す値をさらに出力してもよい。
【００１２】
この場合、前記設備情報格納部には、
それぞれの発電設備について、設置コストを示す情報がさらに格納されており、
前記発電性能算出部は、
前記設置場所および前記候補設備の組み合わせ毎に、当該組み合わせについて試算された単位時間当たりの総発電量、単位時間当たりの単位電力量の価格、および、発電設備毎の設置コストに基づいて、それぞれの発電設備のコスト回収期間を前記発電性能を示す値として算出してもよい。
【００１３】
あるいは、前記発電性能算出部は、
前記設置場所および前記候補設備の組み合わせ毎に試算された総発電量の中で、総発電量が前記所定条件を満たす前記設置場所および前記候補設備の組み合わせについて、単位時間内の総発電量の変動幅を示す変動情報を、発電性能を示す情報として算出してもよい。
【００１４】
また、上記発電量試算装置の設備情報格納部は、
それぞれの発電設備について、当該発電設備を設置可能な領域を示す領域情報をさらに格納し、
前記発電量試算部は、
前記設備情報格納部を参照して、前記設置場所を含む領域情報に対応付けられている発電設備を、当該設置場所に設置可能な候補設備として割り当てて当該候補設備の発電量を算出してもよい。
【００１５】
また、本発明の第二の態様は、自然エネルギー源を用いた発電設備の発電量を試算する発電量試算装置における発電量試算方法であって、
前記発電量試算装置が、
自然エネルギーの計測値を収集してメモリに格納する計測値収集ステップと、
発電設備を設置する複数の設置場所の情報、および、設置候補となる発電設備を示す候補設備の情報の入力を受け付ける受付ステップと、
それぞれの前記設置場所にいずれかの前記候補設備を割り当て、自然エネルギーを用いて発電する複数の発電設備のそれぞれについて、自然エネルギーの単位当たりの発電量の情報を格納する設備情報格納部および計測値が格納されたメモリを参照し、それぞれの前記設置場所における前記自然エネルギーの計測値に基づいて当該設置場所に割り当てられた候補設備の発電量を算出し、算出した発電量を全ての前記設置場所について合計した総発電量を試算する処理を、前記設置場所および前記候補設備の複数の組み合わせについて実行する発電量試算ステップと、
前記発電量試算ステップにおいて前記設置場所および前記候補設備の組み合わせ毎に試算した総発電量の中で、総発電量が所定条件を満たす前記設置情報および前記候補設備の組み合わせの情報を、その総発電量の情報と共に出力する出力ステップと
を実行する。
【００１６】
また、本発明の第三の態様は、コンピュータを、自然エネルギー源を用いた発電設備の発電量を試算する発電量試算装置として機能させるプログラムであって、
前記コンピュータに、
自然エネルギーの計測値を収集してメモリに格納する計測値収集機能と、
発電設備を設置する複数の設置場所の情報、および、設置候補となる発電設備を示す候補設備の情報の入力を受け付ける受付機能と、
それぞれの前記設置場所にいずれかの前記候補設備を割り当て、自然エネルギーを用いて発電する複数の発電設備のそれぞれについて、メモリに格納された自然エネルギーの単位当たりの発電量の情報および自然エネルギーの計測値を参照し、それぞれの前記設置場所における前記自然エネルギーの計測値に基づいて当該設置場所に割り当てられた候補設備の発電量を算出し、算出した発電量を全ての前記設置場所について合計した総発電量を試算する処理を、前記設置場所および前記候補設備の複数の組み合わせについて実行する発電量試算機能と、
前記発電量試算機能が前記設置場所および前記候補設備の組み合わせ毎に試算した総発電量の中で、総発電量が所定条件を満たす前記設置場所および前記候補設備の組み合わせの情報を、その総発電量の情報と共に出力する出力機能と
を実現させる。
【発明の効果】
【００１７】
本発明によれば、指定された複数の地点において最も発電量が多くなる発電手法の組み合わせを迅速に試算することができる。
【図面の簡単な説明】
【００１８】
【図１】本発明の一実施形態に係る発電量試算システム１０の構成の一例を示すシステム構成図である。
【図２】発電量試算装置２０の機能構成の一例を示すブロック図である。
【図３】計測値格納部２２に格納されるデータの構造の一例を示す概念図である。
【図４】設備情報格納部２３に格納されるデータの構造の一例を示す概念図である。
【図５】損失情報格納部２４に格納されるデータの内容を説明するための概念図である。
【図６】電力単価情報格納部２９に格納されるデータの構造の一例を示す概念図である。
【図７】発電量試算部２５によって算出されるデータの一例を示す概念図である。
【図８】発電性能算出部２６によって算出されるデータの一例を示す概念図である。
【図９】発電性能算出部２６によって算出されるデータの一例を示す概念図である。
【図１０】出力部２７によって作成される画面データ４０の一例を示す概念図である。
【図１１】発電量試算装置２０の動作の一例を示すフローチャートである。
【図１２】発電量試算装置２０の機能を実現するコンピュータ５０のハードウェア構成の一例を示す図である。
【発明を実施するための形態】
【００１９】
以下、本発明の実施の形態について、図面を参照しながら説明する。
【００２０】
図１は、本発明の一実施形態に係る発電量試算システム１０の構成の一例を示すシステム構成図である。発電量試算システム１０は、複数の計測器１２、１つ以上のデータベースサーバ１３、および発電量試算装置２０を備える。
【００２１】
それぞれの計測器１２は、通信回線１１に接続されており、日射量や気温、風力などの自然エネルギーを１つ以上計測し、計測結果を、その自然エネルギーの種別および計測日時を示す情報と共に、通信回線１１を介して、いずれかのデータベースサーバ１３へ送信する。
【００２２】
データベースサーバ１３は、１つ以上の自然エネルギーの計測結果を、複数の計測器１２から通信回線１１を介して随時収集して保持する。
【００２３】
発電量試算装置２０は、通信回線１１を介して、計測器１２によって計測された各計測地点の自然エネルギーの計測値を各データベースサーバ１３から通信回線１１を介して随時収集する。
【００２４】
また、発電量試算装置２０は、設置候補となる発電設備、発電設備の設置場所、および電力を消費する設備（例えばコンテナ型データセンタ）の設置場所の情報をユーザから受け付けた場合に、収集した自然エネルギーの過去の計測値に基づいて、各設置場所にいずれかの発電設備を設置した場合に予想される発電量を試算し、発電量の合計が多い順に発電設備の組合せの情報を出力する。
【００２５】
図２は、発電量試算装置２０の機能構成の一例を示すブロック図である。発電量試算装置２０は、計測値収集部２１、計測値格納部２２、設備情報格納部２３、損失情報格納部２４、発電量試算部２５、発電性能算出部２６、出力部２７、受付部２８、および電力単価情報格納部２９を有する。
【００２６】
計測値格納部２２には、例えば図３に示すように、それぞれの自然エネルギーの種別２２０毎に、計測値テーブル２２１が格納される。それぞれの計測値テーブル２２１には、それぞれの自然エネルギーの計測が行われた計測地点を示す位置情報２２２毎に、詳細計測値テーブル２２３が格納される。それぞれの詳細計測値テーブル２２３には、計測器１２によって計測された計測値２２４、および、その計測値２２４が計測された計測日時２２５が格納される。
【００２７】
設備情報格納部２３には、例えば図４に示すように、それぞれの発電設備を識別する設備ＩＤ２３０に対応付けて、当該発電設備が利用する自然エネルギーの種別２３１、当該発電設備の発電効率２３２、当該発電設備１台あたりの設備単価２３３、当該発電設備の設置コスト２３４、当該発電設備の維持費用２３５、および当該発電設備の設置可能情報２３６が予め格納されている。
【００２８】
例えば、太陽光発電は、山の北側の斜面のように太陽光が射し込まない場所には設置できず、波力発電や潮力発電は、波打ち際や海上でなければ設置することができない。そのため、設置可能情報２３６には、対応する発電設備が設置可能な位置を示す情報、例えば対応する発電設備が設置可能な領域を示す情報が格納されている。
【００２９】
また、維持費用２３５は、例えば発電設備の平均的な、または、製造元が保証する寿命に、年間にかかる平均的なメンテナンス費用を掛け合わせることで得られる値である。
【００３０】
なお、設備情報格納部２３内の情報の少なくとも一部は、各発電設備の製造元や設置業者のサーバから通信回線１１を介して取得してもよい。また、発電量試算装置２０内に設備情報格納部２３を設けずに、設備情報格納部２３内の情報が必要になった段階で、発電量試算部２５や発電性能算出部２６が、各発電設備の製造元や設置業者のサーバから通信回線１１を介して設備情報格納部２３内の情報を取得するようにしてもよい。
【００３１】
損失情報格納部２４には、発電設備の設置場所から電力を消費する設備の設置場所までの送電距離と、それに応じて増加する送電損失との関係を示す、例えば図５に示すような情報が予め格納されている。
【００３２】
電力単価情報格納部２９には、例えば図６に示すように、各電力会社を識別する電力会社ＩＤ２９０に対応付けて、当該電力会社が電力を供給する地域の範囲２９１、当該電力会社が設定している昼間（例えば７時から２３時まで）の電力の単価を示す日中単価２９２、および、当該電力会社が設定している夜間（２３時から翌朝７時まで）の電力の単価を示す夜間単価２９３が予め格納されている。
【００３３】
なお、発電量試算装置２０内に電力単価情報格納部２９を設けずに、電力単価情報格納部２９内の情報が必要になった段階で、発電量試算部２５や発電性能算出部２６が、各電力会社のサーバから通信回線１１を介して取得するようにしてもよい。
【００３４】
図２に戻って説明を続ける。計測値収集部２１は、所定のタイミングで（例えば定期的に）、各データベースサーバ１３から自然エネルギーの種別毎に、計測地点、計測日時、および計測値の情報を収集し、計測値格納部２２に格納する。
【００３５】
受付部２８は、マウスやキーボード等の入力装置２００を介して、設置候補となる発電設備の設備ＩＤ、発電設備の設置場所の座標、および、電力を消費する設備の設置場所の座標の情報をユーザから受け付け、受け付けたこれらの情報を発電量試算部２５へ送る。発電設備の設置場所の座標は、複数指定することができる。
【００３６】
発電量試算部２５は、設置候補となる発電設備の設備ＩＤ、発電設備の設置場所の座標、および、電力を消費する設備の設置場所の座標の情報を受付部２８から受け取った場合に、それぞれの発電設備の設置場所の座標について、設置候補となる発電設備を１つずつ割り当てる。このとき、設置場所の座標が、発電設備の設置可能情報として設備情報格納部２３に格納されている領域に含まれない場合、発電量試算部２５は、当該設置場所に当該発電設備を割り当てない。
【００３７】
次に、発電量試算部２５は、設備情報格納部２３を参照して、それぞれの発電設備が利用する自然エネルギーの種別を特定し、特定した自然エネルギーの種別について計測値格納部２２を参照し、当該発電設備が割り当てられた設置場所の座標付近の詳細計測値テーブル２２３を特定し、特定した詳細計測値テーブル２２３から計測日付毎の計測値を取得する。
【００３８】
なお、発電設備が割り当てられた設置場所の座標から所定距離（例えば３０ｍ）以内に、特定した自然エネルギーの種別についての計測地点が計測値テーブル２２１内に存在する場合、発電量試算部２５は、その計測地点の詳細計測値テーブル２２３を、発電設備が割り当てられた設置場所の座標付近の詳細計測値テーブル２２３として特定する。
【００３９】
一方、発電設備が割り当てられた設置場所の座標から所定距離以内の計測地点が計測値テーブル２２１内に存在しない場合、発電量試算部２５は、例えば、発電設備が割り当てられた設置場所の座標に近い順に、所定数（例えば３箇所）の計測地点の詳細計測値テーブル２２３を計測値テーブル２２１内で特定し、特定した複数の詳細計測値テーブル２２３において、各計測日時の計測値の平均を、計測日付毎の計測値として取得する。
【００４０】
次に、発電量試算部２５は、それぞれの発電設備の設置場所に割り当てた発電設備について、電力を消費する設備の設置場所までの距離に基づいて損失情報格納部２４を参照し、送電損失を抽出する。そして、発電量試算部２５は、設備情報格納部２３から対応する発電効率を取得し、取得した発電効率と、抽出した送電損失と、計測値とを用いて、下記の算出式（１）により計測日時毎の予想発電量を算出する。
予想発電量＝発電効率×計測値−送電損失    ・・・（１）
【００４１】
なお、本実施形態において、発電量試算部２５は、離散的に計測されたそれぞれ計測値に関し、次の計測値が計測される日時までの時間帯においてはその計測値が継続しているものと仮定して予想発電量を算出する。
【００４２】
次に、損失情報格納部２４は、計測日時に対応する電力単価を電力単価情報格納部２９から抽出し、予想発電量と掛け合わせることでその時間帯の電力価格を算出する。ここで算出された電力価格は、発電することにより購入する必要がなくなった費用を示している。
【００４３】
発電量試算部２５は、ユーザから指定された設置場所の座標および発電設備の全ての組合せについて計測日時毎の予想発電量および電力価格を算出し、例えば図７に示すような構造のデータとしてメモリに格納し、電力を消費する設備の設置場所の座標の情報と共に、コスト回収期間の算出を発電性能算出部２６に指示する。
【００４４】
図７に例示したように、メモリには、ユーザから指定されたそれぞれの設置場所の座標３００毎に、予想発電量テーブル３０１が格納される。それぞれの予想発電量テーブル３０１には、それぞれの発電設備の設備ＩＤ３０２毎に、詳細予想発電量テーブル３０３が格納される。それぞれの詳細予想発電量テーブル３０３には、計測値が計測された計測日時３０４に対応付けて、当該計測値が計測された時間帯の予想発電量３０５、および、その時間帯の電力価格３０６が格納される。
【００４５】
発電性能算出部２６は、コスト回収期間の算出を発電量試算部２５から指示された場合に、メモリに格納された情報（図７）を参照して、発電設備の設置場所の座標および発電設備の組合せ毎に、算出した予想発電量および電力価格をそれぞれ合計して、年間の予想発電量および総電力価格を算出する。
【００４６】
そして、発電性能算出部２６は、発電設備の設置場所と発電設備の各組合せについて組合せＩＤを割り当て、例えば図８に示すように、組合せＩＤ３１０および設置場所の位置情報３１１に対応付けて、設備ＩＤ３１２、年間予想発電量３１３、および総電力価格３１４をメモリに格納する。
【００４７】
次に、発電性能算出部２６は、メモリに格納された情報（図８）、設備情報格納部２３内のデータ、および電力単価情報格納部２９内のデータを用いて、下記の算出式（２）により、組合せＩＤおよび設置場所の位置情報の組合せ毎に、コスト回収期間を算出する。
コスト回収期間＝（設備単価＋設置費用＋維持費用）÷総電力価格  ・・・（２）
【００４８】
次に、発電性能算出部２６は、組合せＩＤ毎に、各設置場所に割り当てられた発電設備の年間予想発電量を合計して総発電量を算出する。そして、発電性能算出部２６は、例えば図９に示すように、総発電量３２１、ならびに、設置場所の位置情報３２２毎の発電設備の設備ＩＤ３２３およびコスト回収期間３２４を、組合せＩＤ３２０に対応付けた構造のデータをメモリに格納し、電力を消費する設備の設置場所の座標の情報と共に、出力部２７に画面表示を指示する。
【００４９】
出力部２７は、発電性能算出部２６から画面表示を指示された場合に、例えば図１０に示すような画面データ４０を作成して表示装置２０１に表示する。出力部２７は、図９に示した情報を、総発電量の多い順に順位付けして領域４２に表示する。ユーザがマウス等の入力装置２００によりスライダ４３を操作することで、出力部２７は、総発電量の順位が低い組合せについての配置や各設備のコスト回収期間を表示することができる。
【００５０】
また、領域４２において、例えば順位の情報をクリックする等により組合せの１つが指定されると、出力部２７は、領域４１において、指定された組合せについて、電力を消費する施設の位置や、各発電設備の設置場所を地図上に表示する。最初の画面では、最も総発電量の多い組合せについての情報が領域４１に表示される。
【００５１】
また、領域４２において、例えば順位の情報をクリックする等により組合せの１つが指定されると、出力部２７は、指定された組合せについて、所定期間（例えば、日、月、または年）内における各発電設備の発電量の変化を積み上げ棒グラフで領域４４に表示する。最初の画面では、最も総発電量の多い組合せについてのグラフが領域４４に表示される。マウス等の入力装置によりタグ４５がユーザによって選択されると、その期間の積み上げ棒グラフが領域４４に表示される。
【００５２】
画面データ４０を参照することにより、ユーザは、最も発電量の多い発電手法の組合せを迅速に把握することができる。また、領域４２には、発電性能の一例として、各発電設備をその場所に配置して稼動させた場合のコスト回収期間が表示されるため、発電量だけでなく、コストパフォーマンスも考慮した発電設備の選択および配置を迅速に決定することができる。
【００５３】
図１１は、発電量試算装置２０の動作の一例を示すフローチャートである。設置候補となる発電設備の設備ＩＤ、発電設備の設置場所、および電力を消費する設備の設置場所の情報を受け付けた場合、発電量試算装置２０は、本フローチャートに示す動作を開始する。
【００５４】
まず、受付部２８は、受け付けた発電設備の設備ＩＤおよび設置場所、ならびに電力を消費する設備の設置場所の情報を発電量試算部２５へ送る。発電量試算部２５は、発電設備の設置場所として指定された設置場所の中で未選択の設置場所を１つ選択し（Ｓ１００）、指定された発電設備の設置ＩＤの中で未選択の設備ＩＤを１つ選択する（Ｓ１０１）。
【００５５】
次に、発電量試算部２５は、ステップＳ１０１で選択した設備ＩＤに対応付けられている設置可能情報を設備情報格納部２３内で特定し、ステップＳ１００で選択した設置場所が、特定した設置可能情報で示される領域に含まれているか否かを判定することにより、当該設備ＩＤに対応する設備が当該設置場所に設置可能か否かを判定する（Ｓ１０２）。設置可能でない場合（Ｓ１０２）、発電量試算部２５は、ステップＳ１０５に示す処理を実行する。
【００５６】
設置可能である場合（Ｓ１０２：Ｙｅｓ）、発電量試算部２５は、ステップＳ１０１で選択した設備ＩＤに対応付けられている自然エネルギーの種別を設備情報格納部２３内で特定し、特定した種別について計測値格納部２２を参照し、ステップＳ１００で選択した設置場所付近の詳細計測値テーブル２２３を特定し、特定した詳細計測値テーブル２２３から計測日付毎の計測値を取得する。
【００５７】
そして、発電量試算部２５は、それぞれの発電設備の設置場所に割り当てた発電設備について、電力を消費する設備の設置場所までの距離に基づいて送電損失を損失情報格納部２４から抽出し、ステップＳ１０１で選択した設備ＩＤに対応付けられている発電効率を設備情報格納部２３から取得する。そして、発電量試算部２５は、取得した発電効率と、抽出した送電損失と、計測値とを用いて、前述の算出式（１）により計測日時毎の予想発電量を算出する（Ｓ１０３）。
【００５８】
次に、損失情報格納部２４は、計測日時に対応する電力単価を電力単価情報格納部２９から抽出し、予想発電量と掛け合わせることで計測日時毎の電力価格を算出する（Ｓ１０３）。そして、発電量試算部２５は、図７に示したように、ステップＳ１００で選択した設置場所の位置情報、および、ステップＳ１０１で選択した設備ＩＤに対応付けて、計測日時毎の予想発電量および電力価格をメモリに保存する（Ｓ１０４）。
【００５９】
次に、発電量試算部２５は、指定された設備ＩＤを全て選択したか否かを判定する（Ｓ１０５）。未選択の設備ＩＤがある場合（Ｓ１０５：Ｎｏ）、発電量試算部２５は、再びステップＳ１０１に示した処理を実行する。
【００６０】
一方、設備ＩＤを全て選択した場合（Ｓ１０５：Ｙｅｓ）、発電量試算部２５は、指定された設置場所を全て選択したか否かを判定する（Ｓ１０６）。未選択の設置場所がある場合（Ｓ１０６：Ｎｏ）、発電量試算部２５は、再びステップＳ１００に示した処理を実行する。
【００６１】
一方、設置場所を全て選択した場合（Ｓ１０６：Ｙｅｓ）、発電量試算部２５は、発電性能算出部２６にコスト回収期間の算出を指示する。発電性能算出部２６は、指定された発電設備の設備ＩＤおよび設置場所の全ての組合せについてそれぞれ組合せＩＤを割り当て（Ｓ１０７）、未選択の組合せＩＤを１つ選択する（Ｓ１０８）。
【００６２】
次に、発電性能算出部２６は、ステップＳ１０８で選択した組合せＩＤに対応する組合せに含まれるそれぞれの設置場所に割り当てられた発電設備の設備ＩＤに基づいてメモリ内のデータ（図７）を参照し、年間の予想発電量および電力価格の平均をそれぞれ算出し、例えば図８に示した構造のデータとしてメモリに格納する。
【００６３】
次に、発電性能算出部２６は、ステップＳ１０８で選択した組合せＩＤに対応する組合せに含まれる全ての設置場所に割り当てられた発電設備の年間の予想発電量を合計して総発電量を算出する（Ｓ１０９）。そして、発電性能算出部２６は、図８に示した情報、設備情報格納部２３内のデータ、および電力単価情報格納部２９内のデータを用いて、前述の算出式（２）により、コスト回収期間を算出する（Ｓ１１０）。
【００６４】
次に、発電性能算出部２６は、例えば図９に示したように、総発電量３２１、ならびに、設置場所の位置情報３２２毎の発電設備の設備ＩＤ３２３およびコスト回収期間３２４を、ステップＳ１０８で選択した組合せＩＤ３２０に対応付けた構造のデータとしてメモリに格納する（Ｓ１１１）。
【００６５】
次に、発電性能算出部２６は、組合せＩＤを全て選択したか否かを判定する（Ｓ１１２）。未選択の組合せＩＤがある場合（Ｓ１１２：Ｎｏ）、発電性能算出部２６は、再びステップＳ１０８に示した処理を実行する。一方、組合せＩＤを全て選択した場合（Ｓ１１２：Ｙｅｓ）、発電性能算出部２６は、電力を消費する設備の設置場所の座標の情報と共に、出力部２７に画面表示を指示する。
【００６６】
出力部２７は、メモリに格納された情報（図９）、および、電力を消費する設備の設置場所の座標等の情報を用いて、例えば図１０に示した画面データ４０を作成して表示装置２０１に表示し（Ｓ１１３）、発電量試算装置２０は、本フローチャートに示した動作を終了する。
【００６７】
図１２は、発電量試算装置２０の機能を実現するコンピュータ５０のハードウェア構成の一例を示すハードウェア構成図である。コンピュータ５０は、ＣＰＵ（Central Processing Unit）５１、ＲＡＭ（Random Access Memory）５２、ＲＯＭ（Read Only Memory）５３、ＨＤＤ（Hard Disk Drive）５４、通信インターフェイス（Ｉ／Ｆ）５５、入出力インターフェイス（Ｉ／Ｆ）５６、およびメディアインターフェイス（Ｉ／Ｆ）５７を備える。
【００６８】
ＣＰＵ５１は、ＲＯＭ５３またはＨＤＤ５４に格納されたプログラムに基づいて動作し、各部の制御を行う。ＲＯＭ５３は、コンピュータ５０の起動時にＣＰＵ５１によって実行されるブートプログラムや、コンピュータ５０のハードウェアに依存するプログラム等を格納する。
【００６９】
ＨＤＤ５４は、ＣＰＵ５１によって実行されるプログラムおよび当該プログラムによって使用されるデータ等を格納する。通信インターフェイス５５は、通信回線１１を介して他の機器からデータを受信してＣＰＵ５１へ送ると共に、ＣＰＵ５１が生成したデータを、通信回線１１を介して他の機器へ送信する。
【００７０】
ＣＰＵ５１は、入出力インターフェイス５６を介して、表示装置２０１等の出力装置、および、マウスやキーボード等の入力装置２００を制御する。ＣＰＵ５１は、入出力インターフェイス５６を介して、入力装置２００から信号を取得する。また、ＣＰＵ５１は、生成した信号を、入出力インターフェイス５６を介して出力装置へ出力する。
【００７１】
メディアインターフェイス５７は、記録媒体５８に格納されたプログラムまたはデータを読み取り、ＲＡＭ５２を介してＣＰＵ５１に提供する。ＣＰＵ５１は、当該プログラムを、メディアインターフェイス５７を介して記録媒体５８からＲＡＭ５２上にロードし、ロードしたプログラムを実行する。記録媒体５８は、例えばＤＶＤ（Digital Versatile Disk）、ＰＤ（Phase change rewritable Disk）等の光学記録媒体、ＭＯ（Magneto-Optical disk）等の光磁気記録媒体、テープ媒体、磁気記録媒体、または半導体メモリ等である。
【００７２】
コンピュータ５０のＣＰＵ５１は、ＲＡＭ５２上にロードされたプログラムを実行することにより、計測値収集部２１、発電量試算部２５、発電性能算出部２６、出力部２７、および受付部２８の各機能を実現する。また、ＲＯＭ５３やＨＤＤ５４には、計測値格納部２２、設備情報格納部２３、損失情報格納部２４、および電力単価情報格納部２９内のデータが格納される。
【００７３】
コンピュータ５０のＣＰＵ５１は、これらのプログラムを、記録媒体５８から読み取って実行するが、他の例として、他の装置から、通信回線１１を介してこれらのプログラムを取得して実行してもよい。
【００７４】
以上、本発明の実施の形態について説明した。
【００７５】
上記説明から明らかなように、本実施形態の発電量試算システム１０によれば、指定された複数の地点において最も発電量が多くなる発電手法の組み合わせを迅速に試算することができる
【００７６】
なお、本発明は、上記した実施形態に限定されるものではなく、その要旨の範囲内で数々の変形が可能である。例えば、上記した実施形態において、発電量試算装置２０は、総発電量の多い順に、設置場所および発電設備の組合せの情報を画面データ４０として表示するが、本発明はこれに限られず、総発電量の最も多い設置場所および発電設備の組合せの情報を画面データ４０として表示するようにしてもよい。
【００７７】
また、上記した実施形態において、発電量試算装置２０は、１つの設置場所に、１つの発電設備を設置することを前提に処理を進めるが、本発明はこれに限られず、１つの設置場所に複数の発電設備を設置するようにしてもよい。この場合、ユーザは、それぞれの発電設備の設置場所について、その場所に設置可能な発電設備の台数を、設置候補となる発電設備毎に指定し、発電量試算装置２０は、その範囲で各設置場所に指定された発電設備を割り当てて総発電量およびコスト回収期間を算出するようにしてもよい。
【００７８】
また、上記した実施形態では、指定された設置場所が、指定された発電設備の設置可能情報に含まれていれば、組合せとしてその発電設備がその設置場所に割り当てられるが、他の形態として、それぞれの発電設備の設置場所について、割り当てを除外する発電設備の情報をユーザが指定できるようにしてもよい。これにより、設置場所と発電設備の組合せの数を減らすことができ、計算機の処理負荷を軽減することができる。
【００７９】
また、上記した実施形態において、発電量試算装置２０は、各発電設備の発電性能を示す指標の一例としてコスト回収期間を算出して表示するが、本発明はこれに限られず、各発電設備の発電性能を示す指標として、発電設備の設置面積や生成される電力の変動幅、騒音の低さ等の情報を算出して表示するようにしてもよい。
【００８０】
また、上記した実施形態において、発電量試算装置２０は、各発電設備の設置場所や電力を消費する設備の設置場所の指定を２次元座標で受け付けるが、本発明はこれに限られず、３次元の座標として受け付けてもよい。これにより、送電距離に応じた送電損失をより精度よく求めることができる。また、各計測地点の位置情報に標高の情報が含まれていれば、各電力設備の設置場所の標高に応じて、より適切な自然エネルギーの計測値を用いた精度の高い予測電力量の算出も可能となる。
【００８１】
また、上記した実施形態は、本発明を分かりやすく説明するために詳細に説明したものであり、本発明が、必ずしも説明した全ての構成要素を備えるものに限定されるものではない。また、ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることが可能である。
【００８２】
また、上記した実施形態では、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８３】
１０：発電量試算システム、１１：通信回線、１２：計測器、１３：データベースサーバ、２０：発電量試算装置、２１：計測値収集部、２２：計測値格納部、２３：設備情報格納部、２４：損失情報格納部、２５：発電量試算部、２６：発電性能算出部、２７：出力部、２８：受付部、２９：電力単価情報格納部、４０：画面データ、５０：コンピュータ、５１：ＣＰＵ、５２：ＲＡＭ、５３：ＲＯＭ、５４：ＨＤＤ、５５：通信インターフェイス、５６：入出力インターフェイス、５７：メディアインターフェイス、５８：記録媒体
【図１】
2014130501.tif 000003
【図２】
2014130501.tif 000004
【図３】
2014130501.tif 000005
【図４】
2014130501.tif 000006
【図５】
2014130501.tif 000007
【図６】
2014130501.tif 000008
【図７】
2014130501.tif 000009
【図８】
2014130501.tif 000010
【図９】
2014130501.tif 000011
【図１０】
2014130501.tif 000012
【図１１】
2014130501.tif 000013
【図１２】
2014130501.tif 000014